(57)【特許請求の範囲】
【請求項１】
ドア枠の内周面に開閉可能なドアを備えたドア用下枠フラットサッシ構造であって、
前記ドア枠は、吊元側縦枠、戸先側縦枠、上枠及び下枠から構成され、
前記ドアの底部室外側には、水切りタイト材が備えられ、
前記ドアの底部室内側には、前記ドアの開閉によって、出没する可動タイト材が備えられ、
前記下枠は、下枠本体と、下枠の上面を構成する上面構成部材と、を備えており、前記下枠を室外側から室内側に見て、前記下枠の上面は、下枠本体の室外側上面部と、前記上面構成部材の上面部と、下枠本体の室内側上面部と、から構成され、
前記上面構成部材は、前記下枠に設けられた嵌合部と、前記上面構成部材に設けられた被嵌合部で嵌合され嵌脱自在とされ、
前記下枠には、前記室外側上面部と前記上面構成部材との間に排水溝が形成され、
ドアを閉じた状態で、前記水切りタイト材が前記排水溝に臨み、前記可動タイト材が前記上面構成部材の上面部と、前記上面構成部材の被嵌合部と、前記室内側上面部とに当接するように構成され、
前記下枠の上面の吊元側端部及び戸先側端部には、それぞれ前記吊元側縦枠の下部及び前記戸先側縦枠の下部に密接する下枠タイトブロックが配設され、
ドアを閉じた状態において、前記下枠タイトブロックは、それぞれ前記可動タイト材の吊元側端部及び戸先側端部の室内側側面に当接し、
前記下枠の上面の吊元側端部及び戸先側端部に、雨水を排出するための切欠部が形成されている、
ことを特徴とするドア用下枠フラットサッシ構造。
【請求項２】
前記水切りタイト材は、ドアを閉じた状態で、前記下枠の上面に摺接するように構成された、請求項１記載のドア用下枠フラットサッシ構造。
【請求項３】
前記排水溝は、ドアを閉じた状態で、前記水切りタイト材よりも室外側に形成された、請求項１又は２記載のドア用下枠フラットサッシ構造。
【請求項４】
前記上面構成部材の上面部に、排水孔が形成された、請求項１乃至３記載のいずれか１項記載のドア用下枠フラットサッシ構造。
【請求項５】
前記上面構成部材の上面部には、その室外側端部に、排水溝に向かって下方に傾斜する水勾配が形成された、請求項１乃至４のいずれか１項記載のドア用下枠フラットサッシ構造。
【請求項６】
前記可動タイト材は、該可動タイト材長手方向に沿って往復移動可能なロッドと、該ロッドに一端を固定された弾性体と、を備えた可動タイト材作動装置に収納可能とされ、
ドアを閉じる際に、前記ロッドが押圧されることにより、前記可動タイト材が下降して前記下枠の上面を押圧し、
ドアを開く際に、前記ロッドが開放されることにより、前記可動タイト材が上昇して、該可動タイト材は前記ドア底部内に収納される構成とされる、請求項１乃至５のいずれか１項記載のドア用下枠フラットサッシ構造。
【請求項７】
前記ドア枠の吊元側縦枠及び戸先側縦枠には、前記ドアの吊元側縦框の室内面の吊元側端部及び戸先側縦框の室内面の戸先側端部にそれぞれ当接する縦タイト材が配設され、かつ該縦タイト材の下端は前記下枠タイトブロックにそれぞれ密接されており、
それぞれの縦タイト材によって形成される縦タイトラインと、前記下枠タイトラインと、が略同一平面上に形成されている、請求項１乃至６のいずれか１項記載のドア用下枠フラットサッシ構造。
【発明の詳細な説明】
【技術分野】
【０００１】
本発明は、ドア用下枠フラットサッシ構造に関するものである。
【背景技術】
【０００２】
建物の屋外開口部において、下枠の上面を略フラットに形成した引き違い障子、引分け障子用及び片引き障子用の下枠フラットサッシ構造は、従来から市販されている。そして、これらの下枠フラットサッシの見込み寸法を同一にすると共に、引き違い障子用等の下枠フラットサッシとサッシ外観上の統一感をもたせたドア用下枠フラットサッシも存在するが、ドア用下枠フラットサッシにおいては、下枠が略フラットであることより、ドアの下框と下枠の上面との隙間からの雨水の侵入をどのように防ぐかが問題となっている。
そこで、従来技術として、下枠の底部にヒレ状のタイト材を固定して取付けて、そのタイト材を下枠の上面に摺接させることにより、雨水の侵入を防ぎ、水密性を図っているものがある（例えば、特許文献１参照）。
【先行技術文献】
【特許文献】
【０００３】
【特許文献１】特開２００３−３７６７号公報（２乃至４頁、図１乃至１１）
【発明の概要】
【発明が解決しようとする課題】
【０００４】
しかし、この従来技術のドア用下枠フラットサッシ構造は、ドアの下框と下枠の上面との隙間からの雨水の侵入を、下枠の底部に固定されたヒレ状のタイト材によって防いでおり、このタイト材は、ドアの開閉により常に下枠の上面と擦れ合っている状態である。そのため、ドアの開閉を繰り返すうちに、タイト材にへたりが生じ、水密性が低下し、雨水が室内に侵入してくる虞がある。
また、ドアはその吊元側で、ビス止めされたヒンジ（蝶番）によって、通常、サッシ縦枠の上下の二箇所に固定されているが、長年の使用により、ドア自体の重みで徐々にドア自体が戸先側に傾いてくる（若しくは戸先側が垂れ下がるように変形する）という現象が生ずる。この際、ドアの下框と下枠上面との隙間において、戸先側下框と下枠上面との隙間が狭くなるのに対し、吊元側下框と下枠上面との隙間が広がってくるので、隙間が広がる吊元側下框と下枠上面との間で、水密性が低下し易く、それにより、雨水が室内に侵入してくる虞がある。他方、隙間が狭くなる戸先側下框と下枠上面との間で、タイト材が下枠上面を押圧する力が強くなることにより、ドアの開閉がしづらくなるという問題も生じる。
さらに、上述したタイト材のへたりやドアの傾きによる水密性の低下を防止するために、タイト材の長さや下枠上面との当接角度を調整する調整機構が取付けられているが、この調整機構は、ビスを多数箇所にわたって、緩めたり閉めたりして調整する困難な作業を伴うものであり、とても容易にできるものではない。
そこで、本発明の主たる課題は、タイト材の調整や交換を必要とせずに、長期間にわたって、ドアの下框と下枠上面との隙間から侵入する雨水を確実に防止し、ドアの開閉に支障を生じさせないドア用下枠フラットサッシ構造を提供することにある。
【課題を解決するための手段】
【０００５】
上記課題を解決した本発明は、次のとおりである。
＜請求項１記載の発明＞
請求項１記載の発明は、ドア枠の内周面に開閉可能なドアを備えたドア用下枠フラットサッシ構造であって、
前記ドア枠は、吊元側縦枠、戸先側縦枠、上枠及び下枠から構成され、
前記ドアの底部室外側には、水切りタイト材が備えられ、
前記ドアの底部室内側には、前記ドアの開閉によって、出没する可動タイト材が備えられ、
前記下枠は、下枠本体と、下枠の上面を構成する上面構成部材と、を備えており、前記下枠を室外側から室内側に見て、前記下枠の上面は、下枠本体の室外側上面部と、前記上面構成部材の上面部と、下枠本体の室内側上面部と、から構成され、
前記上面構成部材は、前記下枠に設けられた嵌合部と、前記上面構成部材に設けられた被嵌合部で嵌合され嵌脱自在とされ、
前記下枠には、前記室外側上面部と前記上面構成部材との間に排水溝が形成され、
ドアを閉じた状態で、前記水切りタイト材が前記排水溝に臨み、前記可動タイト材が前記上面構成部材の上面部と、前記上面構成部材の被嵌合部と、前記室内側上面部とに当接するように構成され、
前記下枠の上面の吊元側端部及び戸先側端部には、それぞれ前記吊元側縦枠の下部及び前記戸先側縦枠の下部に密接する下枠タイトブロックが配設され、
ドアを閉じた状態において、前記下枠タイトブロックは、それぞれ前記可動タイト材の吊元側端部及び戸先側端部の室内側側面に当接し、
前記下枠の上面の吊元側端部及び戸先側端部に、雨水を排出するための切欠部が形成されている、
ことを特徴とするドア用下枠フラットサッシ構造である。
【０００６】
（作用効果）
ドアを閉じた状態で、水切りタイト材が排水溝に臨んでいる構成により、ドアの室外面に吹き付けられ、ドアの下方（底部）方向に流下していった雨水のうち、その底部をつたって室内に侵入しようとする雨水や、下枠に直接吹き付けられた雨水を、まず、この水切りタイト材によって侵入を防ぐことができ、さらに、これら雨水を排水溝に排出させることにより止水性を高めている。
また、水切りタイト材や排水溝を越えて室内側に侵入してきた雨水については、可動タイト材により、さらなる侵入を防ぎ、室内への雨水の侵入防止性能を高めている。
ドアの底部室内側に設けられたタイト材（可動タイト材）が出没する構成であることにより、ドアの開閉に伴うタイト材（可動タイト材）と下枠上面との擦れ合いが生じることがないので、このタイト材（可動タイト材）にへたりが生じることがないため、長期間安定した水密性を確保することができる。また、長年の使用によるドア自体の重みで徐々にドア自体が戸先側に傾いてくる（若しくは戸先側が垂れ下がるように変形する）という現象があった場合でも、タイト材（可動タイト材）がドアの開閉に伴って出没するので、ドアの開閉に支障が生じず、水切りタイト材や排水溝を越えて室内側に侵入してきた雨水については、可動タイト材により、さらなる侵入を防ぎ、室内への雨水の侵入防止性能を高めている。
上面構成部材が、下枠本体と嵌脱自在であることから、  下枠の上面を構成する上面構成部材が、下枠本体と嵌脱自在であることにより、上面構成部材を取外すことによって、下枠に形成された排水溝の清掃等を容易に行うことができる。また、嵌脱自在とすることで、上面構成部材の形態の選択ができ、それに伴う加工が容易に行える。例えば、上面構成部材の上面部２１Ａに排水孔や滑り止めを設けたり、目的に応じて様々な加工を施したものを取付けたり、様々な形態の上面構成部材を選択し取付けることができる。
可動タイト材が上面構成部材の上面部と、前記上面構成部材の嵌合部と、前記室内側上面部とに当接することから、上部室外側中空部内に入った雨水の上面構成部材の上面部への浸入を防止することができる。
下枠に設けられた排水溝並びに可動タイト材及び下枠タイトブロックにより形成される下枠タイトラインによって、この水切りタイト材を超えて室内側に侵入してきた雨水の侵入を防ぐことができるため、室内への雨水の侵入防止性能を高めることができる。
下枠の上面にそれぞれ吊元側切欠部、戸先側切欠部を設けることによって、下枠上面の長手方向の両端部部分に雨水が滞留しないようにしている。そのため、下枠タイトラインの負担を軽減させると共に、室内への雨水の侵入防止性能を高めることができる。
【０００７】
＜請求項２記載の発明＞
請求項２記載の発明は、前記水切りタイト材は、ドアを閉じた状態で、前記下枠の上面に摺接するように構成された、請求項１記載のドア用下枠フラットサッシ構造である。
【０００８】
（作用効果）
下枠の上面に摺接するように構成すれば、より安定した水切り効果や水密性能を確保することができる。
【０００９】
＜請求項３記載の発明＞
請求項３記載の発明は、前記排水溝は、ドアを閉じた状態で、前記水切りタイト材よりも室外側に形成された、請求項１又は２記載のドア用下枠フラットサッシ構造である。
【００１０】
（作用効果）
水切りタイト材よりも室外側に、下枠に排水溝が形成されていることにより、水切りタイト材の表面を流れる雨水をそのまま排水溝に排水させることができ、止水性を高めることができる。
【００１１】
【００１２】
【００１３】
【００１４】
【００１５】
＜請求項４記載の発明＞
請求項４記載の発明は、前記上面構成部材の上面部に、排水孔が形成された、請求項１乃至３のいずれか１項記載のドア用下枠フラットサッシ構造である。
【００１６】
（作用効果）
上面構成部材の上面部に排水孔が形成されることにより、下枠の排水溝を超えて侵入してきた雨水をこの排水孔により排水できるので、止水性がさらに向上する。
【００１７】
＜請求項５記載の発明＞
請求項５記載の発明は、前記上面構成部材の上面部には、その室外側端部に、排水溝に向かって下方に傾斜する水勾配が形成された、請求項１乃至４のいずれか１項記載のドア用下枠フラットサッシ構造である。
【００１８】
（作用効果）
上面構成部材の上面部の室外側端部に、排水溝に向けて下方に傾斜する水勾配を形成することにより、上面構成部材の上面部への雨水の滞留を防止することができる。
【００１９】
【００２０】
【００２１】
【００２２】
【００２３】
【００２４】
【００２５】
＜請求項６記載の発明＞
請求項６記載の発明は、前記可動タイト材は、該可動タイト材長手方向に沿って往復移動可能なロッドと、該ロッドに一端を固定された弾性体と、を備えた可動タイト材作動装置に収納可能とされ、ドアを閉じる際に、前記ロッドが押圧されることにより、前記可動タイト材が下降して前記下枠の上面を押圧し、ドアを開く際に、前記ロッドが開放されることにより、前記可動タイト材が上昇して、該可動タイト材は前記ドア底部内に収納される構成とされる、請求項１乃至５のいずれか１項記載のドア用下枠フラットサッシ構造である。
【００２６】
（作用効果）
下枠タイトラインの一部を形成する可動タイト材と下枠上面との当接は、弾性体の押圧力を伴っているので、高い水密性が確保される。
また、長年の使用によるドア自体の重みで徐々にドア自体が戸先側に傾いてくる（若しくは戸先側が垂れ下がるように変形する）という現象があった場合でも、タイト材（可動タイト材）が、この可動タイト材作動装置により、ドアの開閉に伴って上下移動するので、ドアの開閉に支障が生じない。他方、下枠タイトラインの一部を形成する可動タイト材と下枠上面との弾性体に起因する押圧力を伴う当接により、ドアの底部面と下枠上面との吊元側と戸先側での隙間の広狭に関係なく、下枠上面に対して均等に当接させることができ、長期間安定した水密性を確保することができる。そして、可動タイト材作動装置を備えていることにより、タイト材の高さや下枠上面との当接角度を調整する作業を必要としない。
【００２７】
＜請求項７記載の発明＞
請求項７記載の発明は、前記ドア枠の吊元側縦枠及び戸先側縦枠には、前記ドアの吊元側縦框の室内面の吊元側端部及び戸先側縦框の室内面の戸先側端部にそれぞれ当接する縦タイト材が配設され、かつ該縦タイト材の下端は前記下枠タイトブロックにそれぞれ密接されており、それぞれの縦タイト材によって形成される縦タイトラインと、前記下枠タイトラインと、が略同一平面上に形成されている、請求項１乃至６のいずれか１項記載のドア用下枠フラットサッシ構造。
【００２８】
（作用効果）
縦タイト材によって形成される縦タイトラインと、下枠タイトラインと、が略同一平面上に形成されていることにより、高い水密性を確保できる。
【発明の効果】
【００２９】
本発明によれば、ドア用下枠フラットサッシ構造において、タイト材の調整や交換を必要とせずに、長期間にわたって、ドアの下框と下枠上面との隙間から侵入する雨水を確実に防止し、ドアの開閉に支障を生じさせない等の利点がもたらされる。
【図面の簡単な説明】
【００３０】
【図１】本発明の一実施例のドア用下枠フラットサッシの横断面図である。
【図２】そのドア用下枠フラットサッシの縦断面図である。
【図３】室内側から見たドア用下枠フラットサッシの正面図である。
【図４】ドアの内周面に装着される、中桟の一実施例の縦断面図である。
【図５】室外側にグレーチング装置を装着したドア用下枠フラットサッシの縦断面図である。
【図６】可動タイト材作動装置を説明するための斜視図である。
【図７】下枠上面と水切りタイト材及び可動タイト材との配置関係を説明するための配置図及びその縦断面図である。
【図８】他の実施例のドアの横断面図である。
【図９】ドアの内周面に装着される、中桟の他の実施例の縦断面図である。
【図１０】第２の実施例のドア用下枠フラットサッシの縦断面図である。
【図１１】第１の実施例のドア用下枠フラットサッシの下枠縦断面図である。
【図１２】第２の実施例のドア用下枠フラットサッシの下枠縦断面図である。
【図１３】第３の実施例のドア用下枠フラットサッシの下枠上面と水切りタイト材及び可動タイト材との配置関係を説明するための配置図及びその縦断面図である。
【図１４】第３の実施例のドア用下枠フラットサッシの下枠縦断面図である。
【発明を実施するための形態】
【００３１】
以下、本発明の実施の形態を説明する。
本発明に係るドア用下枠フラットサッシ構造の全体概要について、図１乃至３、図５に基づき説明する。なお、図１は本発明の一実施例のドア用下枠フラットサッシの横断面図であり、図２はそのドア用下枠フラットサッシの縦断面図であり、図３は室内側から見たドア用下枠フラットサッシの正面図であり、図５は室外側にグレーチング装置を装着したドア用下枠フラットサッシの縦断面図である。
本発明に係るドア用下枠フラットサッシ構造は、サッシ枠（ドア枠）とドアとを備えている。サッシ枠は、下枠１、上枠２、吊元側縦枠３及び戸先側縦枠４で枠体が構成され、このサッシ枠の内周に、下框５、上框６、吊元側縦框７及び戸先側縦框８で構成されたドアが装着されることで、ドア用下枠フラットサッシ構造が形成される。図５に示すように、このドア用下枠フラットサッシ構造の下枠１に、グレーチング受材３０を取付け、このグレーチング受材３０上にグレーチング３１を載置することにより、室内の床面（図示せず）から、下枠１の上面、グレーチング３１上面、そしてバルコニー等内に配設されたウッドデッキ３２等までを略フラットに形成することができる。
【００３２】
＜ドアの構造＞
ドアについて、主に図１乃至５、図７（１），（２）及び図１１（１），（２）に基づき説明する。なお、図４はドアの内周面に装着される中桟の縦断面図である。なお、図７（１）は下枠上面と水切りタイト材及び可動タイト材との配置関係を説明するための配置図であり、図７（２）は、その縦断面図であり、図１１（１）はドアが閉じたとき、可動タイト材が下枠の上面に当接している状態を示す縦断面図であり、図１１（２）はドアが開いたとき、可動タイト材が下枠底部に収納されている状態を示す縦断面図である。
ドアは、前述したように、下框５、上框６、吊元側縦框７及び戸先側縦框８で構成されており、これら框で四周を囲んだ内周にガラス７７等が装着される。
吊元側縦框７の吊元側側面７Ａ には、ヒンジ７０が少なくとも２箇所以上配設され、ビス７１の螺着により取付けられており、このヒンジ７０が、サッシ枠の吊元側縦枠３の内周面３Ａにもビス７１の螺着により取付けられていることによって、ドアがこのヒンジ７０を介して室内外に開閉可能となっている。
戸先側縦框８には、レバーハンドル７２等の取手と、ラッチボルト７３と、デットボルト７４と、が備えられている。なお、上記のヒンジ７０やレバーハンドル７１、ラッチボルト７３等については、公知のものであり、本発明がこれらによって限定されるものではない。また、図３には、ガラス７７が一枚で構成されているが、図４に示すような中桟７８をドアの内周に取付けて、２枚以上にガラス７７を分割して装着してもよい。
【００３３】
吊元側縦框７及び戸先側縦框８には、それぞれの縦枠に対向する面である吊元側側面７Ａ及び戸先側側面８Ａの室外側に水切り７ｃ，８ｃが縦枠の長手方向に延在して取付けられており、この水切り７ｃ，８ｃがそれぞれの縦枠の内周面３Ａ，４Ａに摺接することによって、それぞれの縦枠との隙間からの雨水の侵入を防止している。また、後述するように、吊元側縦枠３及び戸先側縦枠４のそれぞれに縦タイト材３５，３５が取付けられており、これら縦タイト材３５，３５と吊元側縦框７及び戸先側縦框８の室内面７Ｂ，８Ｂが当接されていることにより、水密性を確保している。
【００３４】
ドアの下框５の底部５０、並びに吊元側縦框７及び戸先側縦框８のそれぞれの底部（図示せず）からドアの底部が構成されるが、そのドア底部の室外側に水切りタイト材５１と、室内側に可動タイト材作動装置９と、がそれぞれ下枠底部の長手方向に延在するように備えられている。吊元側縦框７及び戸先側縦框８のそれぞれの底部については、図２に示されていないが、図３に示されるように、吊元側縦框７及び戸先側縦框８がドアの底部にまで延在する構成となっていることにより、下框５の底部５０に設けられた水切りタイト材５１と可動タイト材作動装置９の小口（両端面）が投影される部分（吊元側縦框７及び戸先側縦框８の底部の一部）については、切欠かれている。そのため、図７（１）に示すように、ドアの底部の両端にいたる範囲において、水切りタイト材５１と可動タイト材５２とが長手方向に延在できるようになっている。なお、ドアの底部の両端にいたる範囲とは、吊元側縦框７の吊元側側面７Ａの内壁と、戸先側縦框８の戸先側側面８Ａの内壁との間のことをいうものである。しかしながら、本発明の要旨から考えて、この範囲に限定する必要性はなく、吊元側縦框７の吊元側側面７Ａや戸先側縦框８の戸先側側面８Ａをも切欠いて、それぞれの側面７Ａ，８Ａと、水切りタイト材５１及び可動タイト材５２を同面にしてもよいし、これらをそれぞれの縦枠に向かって突出させてもよい。
【００３５】
水切りタイト材５１は、図２や図１１（１），（２）に示すように、弾性性状のヒレ状の部材である。水切りタイト材５１は、ドア底部と一体化すると共に、後述する排水溝２４に臨むように垂下されている。このことにより、ドアの室外面に吹き付けられ、ドアの下方（底部）方向に流下していった雨水のうち、その底部をつたって室内に侵入しようとする雨水や、下枠１に直接吹き付けられた雨水を、まず、この水切りタイト材５１によって侵入を防ぐことができる。そして、これら雨水を排水溝２４に排出させている。なお、水切りタイト材５１を排水溝２４に臨むように構成すると共に、下枠１の上面（好ましくは、上面構成部材の上面部２１Ａの室外側端部）に摺接させるように構成すれば、より安定した水切り効果や水密性能を確保することができる。
【００３６】
可動タイト材５２は、弾性性状であると共に、より気密性を確保するために、水切りタイト材５１に比して、その幅を厚くしてある。そして、後述する下枠タイトブロック１０，１０と共に、下枠タイトラインを形成し、水切りタイト材５１を超えて室内側に侵入してきた雨水に対し、その侵入を防ぐ働きを担っている。なお、後述するように、この可動タイト材５２は、可動タイト材作動装置９に連結されており、上下移動が可能となっている。
【００３７】
次に、可動タイト材作動装置９について、図６及び図１１（１），（２）に基づき説明する。なお、図６は可動タイト材作動装置を説明するための斜視図である。
この可動タイト材作動装置９は、可動タイト材５２と、この可動タイト材５２の長手方向に沿って往復移動可能なロッド９２と、このロッド９２に一方端を連結され、中央においてやや下方に折曲若しくは湾曲している板バネ９３と、この板バネの他端をケース９１に固定させる固定部９４と、を備えている。具体的には、板バネ９３が固定部９４でケース９１に固定されていることにより、ケース９１の小口から突出しているロッド９２の先端が押圧されることによって、板バネ９３が下方にたわみ、この板バネ９３の両端を除く中間（好ましくは中央）に連結されている可動タイト材５２が下降し、ケース９１の下部開口から突出するようになっている。そして、ロッド９２の押圧を解除すると、板バネ９３の反発力により、板バネの中間部は上昇し、それに伴って、可動タイト材５２も上方に移動してケース９１内に収納される。なお、ロッド９２と板バネ９３との間に、コイルバネ（図示せず）等を介在させることにより、ロッド９２の押圧状態の解除による可動タイト材５２の上方移動を、板バネ９３の反発力と共に、コイルバネ等によって付勢させることができる。なお、本発明は、板バネ９３に限定されるものではなく、板バネ９３に代えて、上記作用を有する弾性体に置換してもよい。
【００３８】
可動タイト材作動装置９は、そのケース９１がドア底部の室内側に嵌合されるように、取付けられている。したがって、可動タイト材５２がケース９１に収納されることによって、ドア底部内に可動タイト材５２が収納されるようになっている。そして、ロット９２の先端が吊元側縦框７の吊元側側面７Ａ、若しくは戸先側縦框８の戸先側側面８Ａから突出しており、ドアを閉じる際に、吊元側縦枠３の内周面３Ａ若しくは戸先側縦枠４の内周面４Ａとこのロッド９２が当接して押圧されることにより、可動タイト材５２が下降し、図１１（１）に示すように、この可動タイト材５２が下枠の上面に当接し、ドアを開く際に、可動タイト材５２が上昇して、図１１（２）に示すように、この可動タイト材５２がドア底部内に収納される構成となっている。なお、ロッド５２を押圧する際には、かなりの押圧力を要するため、ロッド５２を吊元側縦框７の吊元側側面７Ａから突出させる構成が、スムーズなドアの開閉の観点から好適である。
【００３９】
図８及び９には、他のドアの実施例を示している。なお、図８は他の実施例のドアの横断面図であり、図９は他の実施例に用いられる中桟の縦断面図である。
前述した実施例と、当該他の実施例との相違点は、前述した実施例のガラス７７を室内側から押さえているアタッチメント７９，７９がアタッチメント１７９，１７９に置換され、ペアガラス１７７を装着している点である。この点については、中桟１７８についても同様である。その他については、前述した実施例と略同様であるので、詳細な説明は省略する。
【００４０】
＜サッシ枠の構造＞
サッシ枠は、前述のように、下枠１、上枠２、吊元側縦枠３及び戸先側縦枠４で枠体が構成されている。
上枠２は、その内周面２Ａの室外側に水切り２ｃが取付けられており、この水切り２ｃによって、上枠２の室外面２Ｂや上枠２とドアとの隙間に吹き付けた雨水の室内側への侵入を防いでいる。また、内周面２Ａには、その室内側に横タイト材３６を嵌合させるリップ溝片２ａが、上枠２の長手方向に延在して配設されており、このリップ溝片２ａに横タイト材３６が嵌合され、この横タイト材３６が、ドアの上端部に当接することにより、上枠タイトラインを形成し、水密性を確保している。
吊元側縦枠３には、前述のように、ヒンジ７０が少なくとも２箇所以上配設され、ビス７１の螺着により取付けられていることによって、ドアがこのヒンジ７０を介して室内外に開閉可能となっている。
戸先側縦枠４には、戸先側縦框８に取付けられたラッチボルト７３とデットボルト７４とを受けるためのストライク７５及びトロヨケ７６が設けられている。
【００４１】
吊元側縦枠３及び戸先側縦枠４のそれぞれの内周面３Ａ，４Ａには、縦タイト材３５，３５を嵌合させるためのリップ溝片３ａ，４ａが、それぞれの縦枠の長手方向に延在して配設されている。このリップ溝片３ａ，４ａに縦タイト材３５，３５が嵌合され、これら縦タイト材３５，３５が、ドアの吊元側縦框７の室内面７Ｂの吊元側端部及び戸先側縦框８の室内面８Ｂの戸先側端部にそれぞれ当接することにより、縦タイトラインが形成されている。なお、図２に示されるように、縦タイト材３５，３５の上端が、横タイト材３６にそれぞれ密接されていると共に、縦タイト材３５，３５の下端が後述する下枠タイトブロック１０，１０にそれぞれ密接されており、上枠タイトライン、縦タイトライン及び下枠タイトラインとが略同一平面上に形成され、高い水密性が確保されている。
【００４２】
次に、下枠１について、図２及び図１１（１），（２）に基づき説明する。
下枠１は、下枠本体１１と、該下枠本体１１に嵌脱自在で、かつ下枠の長手方向に延在し、下枠の上面を構成する上面構成部材２１と、を備えている。
図１１（１）に示すように、下枠本体１１は、その下部に中空部１２を有し、下枠１を室内側から室外側に見て、この中空部１２の上方に形成された、第１の立ち上がり片１３、第２の立ち上がり片１４及び第３の立ち上がり片１５と、中空部１２の上方で第２の立ち上がり片１４と第３の立ち上がり片１５との間に形成された、上面構成部材２１を支持し、かつ該上面構成部材２１を嵌合させるための室外側支持立ち上がり片１７と、を備えている。そして、下枠１の上面は、下枠１を室外側から室内側に見て、第３の立ち上がり片１５の上端に形成された室外側上面部１９と、室外側支持立ち上がり片１７の上端に支持された上面構成部材２１の上面部２１Ａと、第１の立ち上がり片１３及び第２の立ち上がり片１４の上端に跨って形成された室内側上面部１８と、を備えている。また、第２の立ち上がり片１４には、嵌合部１４ａが形成されており、上面構成部材の上面部２１Ａの室内側端部に形成された被嵌合部２１ａにより、上面構成部材２１が嵌合部１４ａに嵌合されるようになっている。
【００４３】
これら室外側上面部１９、上面構成部材２１の上面部２１Ａ、室内側上面部１８は略同一面上であり、略フラットに構成されている。したがって、前述したように、図５に示すように、このドア用下枠フラットサッシ構造の下枠１に、グレーチング受材３０を取付け、このグレーチング受材３０上にグレーチング３１を載置することにより、室内の床面（図示せず）から、下枠１の上記上面、グレーチング３１上面、そしてバルコニー等内に配設されたウッドデッキ３２等までを略フラットに形成することができる。
【００４４】
また、下枠１を室外側から室内側に見て、中空部１２の上面と第３の立ち上がり片１５、室外側支持立ち上がり片１７及び上面構成部材２１の室外面２１Ｃによって構成された排水溝２４が下枠本体１１に形成されている。さらに、中空部１２の上面と室外側支持立ち上がり片１７（若しくは上面構成部材２１の室外面２１Ｃ）、上面構成部材２１の上面部２１Ａ、第２の立ち上がり片１４によって囲まれた上部室外側中空部２８が、下枠本体１１に形成されている。
【００４５】
排水溝２４の底面（中空部１２の上面）には、水抜き孔（図示せず）が形成されており、排水溝２４に流れ込んだ雨水等を中空部１２内に排水することができ、最終的に雨水等は、蓋付き排水口３７より排出される。上部室外側中空部２８の底面（中空部１２の上面）については、必ずしも水抜き孔を設ける必要性はないが、図７（１）に示すように、吊元側端部及び戸先側端部にそれぞれ吊元側切欠部２５及び戸先側切欠部２６を設けた場合に、上部室外側中空部２８内に雨水が入ってくるので、この場合、水抜き孔（図示せず）を設けることが好ましい。また、上部室外側中空部２８の底面（中空部１２の上面）に水抜き孔を設けなくても、上面構成部材２１を嵌合させる室外側支持立ち上がり片１７及び上面構成部材２１の室外面２１Ｃに切欠き（図示せず）を形成することにより、流れ込んだ雨水を排水溝２４に連通させて、雨水等を中空部内１２に排水することもできる。
【００４６】
上面構成部材２１は、その断面形状における室外面２１Ｃの下方に形成された肩部で、室外側支持立ち上がり片１７と嵌合しており、そして前述したように、上面構成部材の上面部２１Ａの室内側端部に被嵌合部２１ａが形成されており、この被嵌合部２１ａが第２の立ち上がり片１４の嵌合部１４ａに嵌合している。そのため、上面構成部材２１は、下枠本体１１に対して嵌脱自在であり、この上面構成部材２１を取外すことにより、下枠１に形成された排水溝２４、上部室外側中空部２８内の清掃、特に底面に溜まったゴミの清掃等を容易に行うことができる。
【００４７】
また、嵌脱自在に構成することで、図１１及び後述する図１４に示すように、上面構成部材を様々な形態（例えば、図１４のように室内側にも排水溝を形成することができる。）に加工することができる。さらに、後述するように、上面構成部材の上面部２１Ａに排水孔や滑り止めを設けたり、目的に応じて様々な加工を施したものを取付けたり、様々な形態の上面構成部材を選択し取付けることができる。
【００４８】
ここで、上面構成部材の上面部２１Ａに所望の位置・大きさ・範囲・箇所に排水孔（図示せず）を形成すれば、下枠の排水溝２４及び水切りタイト材５１を超えて侵入してきた雨水をこの排水孔により排水できるので、より止水性が向上する。排水孔の形状・箇所数等については、限定されるものではなく、グレーチング形状に排水孔を形成してもよい。なお、上面構成部材の上面部２１Ａの室外側端部に、排水溝２４に向けて下方に傾斜する水勾配を形成することにより、上面構成部材の上面部２１Ａへの雨水の滞留を防止することができる。
【００４９】
＜サッシ下枠と水切りタイト材及び可動タイト材との配置関係＞
次に、下枠１の上面と水切りタイト材５１及び可動タイト材５２との配置関係について、図２、図７（１），（２）及び図１１（１）に基づき説明する。
水切りタイト材５１は、ドアを閉じた状態では、排水溝２４に臨むように垂下されている。そのため、ドアの室外面に吹き付けられ、ドアの下方（底部）方向に流下していった雨水のうち、その底部をつたって室内に侵入しようとする雨水や、下枠１に直接吹き付けられた雨水の浸入を防止すると共に、これら雨水を上面構成部材２１よりも室外側に形成された排水溝２４に排出させている。水切りタイト材５１の垂下位置よりも室外側に下枠に排水溝２４が形成されていることにより、水切りタイト材５１の表面を流れる雨水をそのまま排水溝２４に排水させることができ、止水性を高めている。また、上面構成部材の上面部２１Ａの室外側端部に、排水溝２４に向けて下方に傾斜する水勾配を形成することにより、上面構成部材の上面部２１Ａへの雨水の滞留を防止することができる。なお、上面構成部材２１の上面部２１Ａの室外側端部に摺接させるように構成すれば、より安定した水切り効果や水密性能を確保することができる。
可動タイト材５２は、ドアを閉じた状態では、上面構成部材２１の上面部２１Ａの室内側端部及び室内側上面部１８の室外側端部に当接している。また、室内側上面部１８の吊元側端部及び戸先側端部には、可動タイト材５２の吊元側端部の室内側側面及び戸先側端部の室内側側面に当接すると共に、吊元側縦枠３及び戸先側縦枠４に形成されたリップ溝片３ａ，４ａの下部に密接する、下枠タイトブロック１０，１０が配設されている。そのため、これら可動タイト材５２と下枠タイトブロック１０，１０で下枠タイトラインが形成されている。下枠タイトラインにより、排水溝２４や水切りタイト材５１を超えて室内側に侵入してきた雨水、特に、水切りタイト材５１の吊元側端縁とサッシ吊元側縦枠の内周面３Ａとの間及び水切りタイト材５１の戸先側端縁とサッシ吊元側縦枠の内周面４Ａとの間から侵入してきた雨水の浸入を防止している。なお、可動タイト材５２の当接位置は、上面構成部材２１の上面部２１Ａ又は室内側上面部１８のどちらか一方のみに当接していてもよい。
また、縦タイト材３５，３５の下端が下枠タイトブロック１０，１０にそれぞれ密接されていることにより、縦タイトライン及び下枠タイトラインが略同一平面上に形成されていることと共に、前述のように、上枠タイトラインも略同一平面上に形成されていることにより、高い水密性が確保されている。
【００５０】
下枠タイトブロック１０，１０は発泡材やゴムなどの弾性体等からなっているので、下枠タイトラインの一部を形成する、可動タイト材５２の吊元側端部の室内側側面及び戸先側端部の室内側側面と下枠タイトブロック１０，１０との当接面は密接されており、水密状態になっているが、ここから室内への雨水の侵入を確実に防止すると共に、下枠の上面の長手方向の両端部部分に雨水が滞留しないようにするためには、図７（１）に示すように、上面構成部材の上面部２１Ａに吊元側切欠部２５及び戸先側切欠部２６を形成することが好ましい。吊元側切欠部２５の配置としては、サッシ下枠１の長手方向では、ドアを閉じた状態で上面構成部材の上面部２１Ａに当接される可動タイト材５２の吊元側端縁（小口面）からサッシ吊元側縦枠の内周面３Ａにかけて、そして、サッシ下枠１の幅方向では、図７（２）に示すように、上面構成部材の上面部２１Ａと室外面２１Ｃとの交差部分から上面構成部材の上面部２１Ａの被嵌合部２１ａに至るまで切欠けばよい。戸先側切欠部２６の配置としては、上記同様に、サッシ下枠１の長手方向では、ドアを閉じた状態で上面構成部材の上面部２１Ａに当接される可動タイト材５２の戸先側端縁（小口面）からサッシ戸先側縦枠の内周面４Ａにかけて、そして、サッシ下枠１の幅方向では、上面構成部材の上面部２１Ａと室外面２１Ｃとの交差部分から上面構成部材の上面部２１Ａの被嵌合部２１ａに至るまで切欠けばよい。なお、室内側上面部１８において、ドアよりも室内側の所望の位置に、図１１（１）に示すように、結露を排水するための結露受け３８が形成されている。
【００５１】
また、図７（１）に示すように、下枠タイトブロック１０，１０の縦枠側側面、リップ溝片３ａ，４ａ及びそれぞれの縦枠３，４の内周面３Ａ，４Ａに囲まれた、室内側上面部１８の吊元側端面１８ａ及び戸先側端面１８ｂに、雨水が溜まらないように断面形状において室内側排水溝２２方向に向かって下方に傾斜する傾斜面を有し、吊元側切欠部２５及び戸先側切欠部２６へ溜まった雨水の排水を促すテーパー部材（図示せず）をそれぞれ配設することが好ましい。このテーパー部材の配設に代えて、前述した切欠（吊元側切欠部２５、戸先側切欠部２６）を吊元側端面１８ａ及び戸先側端面１８ｂまで拡張してもよい。拡張する場合には、上部室内側中空部２７と中空部１２との間に、雨水を排水するための水抜き孔（図示せず）を形成すればよい。
【００５２】
＜サッシ下枠の第２の実施例＞
図１２に基づき、サッシ下枠の第２の実施例である下枠１０１について説明する。下枠１０１は、その下部に中空部１２を有し、下枠１０１を室内側から室外側に見て、この中空部１２の上方に形成された、第１の立ち上がり片１１３、第２の立ち上がり片１１４、第３の立ち上がり片１１７及び第４の立ち上がり片１１５と、を備えている。そして、下枠１０１の上面は、下枠１０１を室外側から室内側に見て、第４の立ち上がり片１１５の上端に形成された室外側上面部１９と、第１の立ち上がり片１１３、第２の立ち上がり片１１４及び第３の立ち上がり片１１７のそれぞれ上端に跨って形成された室内側上面部１１８と、を備えている。これら室外側上面部１９及び室内側上面部１１８は略同一面上であり、略フラットに構成されている。
【００５３】
下枠１０１は前述した第１の実施例の派生形であり、下枠１０１が備えている上面構成部材２１が無くなり、それに伴って室外側支持立ち上がり片１７が第３の立ち上がり片１１７に置換され、この第３の立ち上がり片１１７の上端で室内側上面部１１８の室外側端部と一体化され、さらに第２の立ち上がり片１１４と室内側上面部１１８の中間部で一体化されている点が下枠１と下枠１０１との相違点となっている。
【００５４】
下枠１と同様に、室外側上面部１９と室内側上面部１１８との間に排水溝２４が形成されたことにより、ドアの底部をつたって室内に侵入しようとする雨水や下枠に直接吹き付けられた雨水を、下枠の排水溝２４及び水切りタイト材５１によって侵入を防ぐことができる。そして、水切りタイト材５１の垂下位置よりも室外側に下枠に排水溝２４が形成されていることにより、水切りタイト材５１の表面を流れる雨水をそのまま排水溝２４に排水させることができ、止水性を高めている。また、室内側上面部１１８の室外側端部に、排水溝２４に向けて下方に傾斜する水勾配を形成することにより、室内側上面部１１８への雨水の滞留を防止することができる。なお、水切りタイト材５１を室内側上面部１１８に摺接させてもよい。
【００５５】
下枠１と同様に、室内側上面部１１８に所望の位置・大きさ・範囲・箇所に排水孔（図示せず）を形成すれば、下枠の排水溝２４及び水切りタイト材５１を超えて侵入してきた雨水をこの排水孔により排水できるので、より止水性が向上する。排水孔の形状・箇所数等については、限定されるものではなく、グレーチング形状に排水孔を形成してもよい。また、図示はしないが、室内側上面部１１８の吊元側端部及び戸先側端部において、それぞれ切欠部を形成することにより止水性を高めてもよい。なお、下枠１０１のその他の構成については、下枠１と略同様なので説明を省略する。
【００５６】
＜サッシ下枠の第３の実施例＞
図１３及び図１４に基づき、サッシ下枠の第３の実施例である下枠２０１について説明する。概略として、下枠１や下枠１０１との相違点は、上面構成部材２２１の断面形状を、室外側上面部と上面構成部材との間、及びこの上面構成部材と室内側上面部との間に、室外側及び室内側排水溝がそれぞれ形成されるように構成したため、排水溝を室外側及び室内側に２重に設けることができ、止水性をさらに向上させた点である。
【００５７】
下枠２０１は、下枠本体２１１と、該下枠本体２１１に嵌脱自在で、かつ下枠の長手方向に延在し、下枠の上面を構成する上面構成部材２２１と、を備えている。
図１４に示すように、下枠本体２１１は、その下部に中空部１２を有し、下枠２０１を室内側から室外側に見て、この中空部１２の上方に形成された、第１の立ち上がり片２１３、第２の立ち上がり片２１４及び第３の立ち上がり片２１５と、中空部１２の上方で第２の立ち上がり片２１４と第３の立ち上がり片２１５との間に形成された、上面構成部材２２１を支持し、かつ該上面構成部材２２１を嵌合させるための室内側支持立ち上がり片２１６及び室外側支持立ち上がり片２１７と、を備えている。そして、下枠２０１の上面は、下枠２０１を室外側から室内側に見て、第３の立ち上がり片２１５の上端に形成された室外側上面部１９と、室内側支持立ち上がり片２１６及び室外側支持立ち上がり片２１７の上端に支持された上面構成部材２２１の上面部２２１Ａと、第１の立ち上がり片２１３及び第２の立ち上がり片２１４の上端に跨って形成された室内側上面部２１８と、を備えている。
【００５８】
これら室外側上面部１９、上面構成部材２２１の上面部２２１Ａ、室内側上面部２１８は略同一面上であり、略フラットに構成されている。
【００５９】
また、下枠２０１を室外側から室内側に見て、中空部１２の上面と第３の立ち上がり片２１５、室外側支持立ち上がり片２１７及び上面構成部材２２１の室外面２２１Ｃによって構成された室外側排水溝２４と、中空部１２の上面と室内側支持立ち上がり片２１６及び上面構成部材２２１の室内面２２１Ｂ、第２の立ち上がり片２１４によって構成された室内側排水溝２２と、が下枠本体２１１に形成されている。さらに、中空部１２の上面と室外側支持立ち上がり片２１７、室内側支持立ち上がり片２１６によって上面構成部材２１の下部溝２３が、下枠本体２１１に形成されている。
【００６０】
室外側排水溝２４の底面（中空部１２の上面）には、水抜き孔（図示せず）が形成されており、室外側排水溝２４に流れ込んだ雨水等を中空部１２内に排水することができ、最終的に雨水等は、蓋付き排水口３７より排出される。室内側排水溝２２の排水については、室内側排水溝２２の底面（中空部１２の上面）に水抜き孔（図示せず）が形成されることにより、流れ込んだ雨水等を中空部内１２に排水することができ、最終的に雨水等は、蓋付き排水口３７より排出される。この室内側排水溝２２については、その底面に水抜き孔を設けなくても、上面構成部材２１を嵌合させる室内側支持立ち上がり片２１６及び室外側支持立ち上がり片２１７に切欠き（図示せず）を形成することにより、流れ込んだ雨水を下部溝２３を介して室外側排水溝２４に連通させて、雨水等を中空部内１２に排水することもできる。また、下部溝２３の底面（中空部１２の上面）に水抜き孔（図示せず）を設けることによって、室内側支持立ち上がり片２１６の切欠から流れ込む雨水等を中空部内１２に排水することもできる。
【００６１】
上面構成部材２２１は、その断面形状における室内面２２１Ｂ及び室外面２２１Ｃの下方に形成されたそれぞれの肩部で、室内側支持立ち上がり片２１６及び室外側支持立ち上がり片２１７と嵌脱自在に嵌合しており、この上面構成部材２２１を取外すことにより、下枠２０１に形成された室外側排水溝２４、下部溝２３及び室内側排水溝２２の清掃、特に各溝の底面に溜まったゴミの清掃等を容易に行うことができる。
【００６２】
ここで、上面構成部材の上面部２２１Ａに所望の位置・大きさ・範囲・箇所に排水孔（図示せず）を形成すれば、下枠の排水溝２４及び水切りタイト材５１を超えて侵入してきた雨水をこの排水孔により排水できるので、より止水性が向上する。排水孔の形状・箇所数等については、限定されるものではなく、グレーチング形状に排水孔を形成してもよい。なお、上面構成部材の上面部２２１Ａの室外側端部に、室外側排水溝２４に向けて下方に傾斜する水勾配を形成することにより、上面構成部材の上面部２２１Ａへの雨水の滞留を防止することができる。同様に、上面部２２１Ａの室内側端部に、室内側排水溝２２に向けて下方に傾斜する水勾配を形成することにより、上面構成部材の上面部２２１Ａの雨水の滞留を防止することができる。
【００６３】
次に、下枠１の上面と水切りタイト材５１及び可動タイト材５２との配置関係について図１３及び図１４に基づき説明する。
水切りタイト材５１は、ドアを閉じた状態では、室外側排水溝２４に臨むように垂下されている。そのため、ドアの室外面に吹き付けられ、ドアの下方（底部）方向に流下していった雨水のうち、その底部をつたって室内に侵入しようとする雨水や、下枠に直接吹き付けられた雨水の浸入を防止すると共に、これら雨水を上面構成部材２２１よりも室外側に形成された室外側排水溝２４に排出させている。水切りタイト材５１の垂下位置よりも室外側に下枠に室外側排水溝２４が形成されていることにより、水切りタイト材５１の表面を流れる雨水をそのまま室外側排水溝２４に排水させることができ、止水性を高めている。なお、上面構成部材２２１の上面部２２１Ａの室外側端部に摺接させるように構成すれば、より安定した水切り効果や水密性能を確保することができる。
可動タイト材５２は、ドアを閉じた状態では、室内側上面部２１８の室外側端部に当接している。また、室内側上面部２１８の吊元側端部及び戸先側端部には、可動タイト材５２の吊元側端部の室内側側面及び戸先側端部の室内側側面に当接すると共に、吊元側縦枠３及び戸先側縦枠４に形成されたリップ溝片３ａ，４ａの下部に密接する、下枠タイトブロック１０，１０が配設されている。そのため、これら可動タイト材５２と下枠タイトブロック１０，１０で下枠タイトラインが形成されている。下枠タイトラインにより、水切りタイト材５１や室外側及び室内側排水溝２２，２４を超えて室内側に侵入してきた雨水、特に、水切りタイト材５１の吊元側端縁とサッシ吊元側縦枠の内周面３Ａとの間及び水切りタイト材５１の戸先側端縁とサッシ吊元側縦枠の内周面４Ａとの間から侵入してきた雨水の浸入を防止すると共に、これら雨水を室内側上面部２１８よりも室外側に形成された室内側排水溝２２に排出させている。
下枠タイトブロック１０，１０は発泡材やゴムなどの弾性体等からなっているので、下枠タイトラインの一部を形成する、可動タイト材５２の吊元側端部の室内側側面及び戸先側端部の室内側側面と下枠タイトブロック１０，１０との当接面は密接されており、水密状態になっているが、ここから室内への雨水の侵入を確実に防止するためには、図１３（１）に示すように、室内側上面部２１８に吊元側切欠部２２５及び戸先側切欠部２２６を形成し、下枠タイトブロック１０，１０との当接面の近傍に雨水が溜まることを排除することが好ましい。吊元側切欠部２２５の配置としては、サッシ下枠２０１の長手方向では、ドアを閉じた状態で室内側上面部２１８に当接される可動タイト材５２の吊元側端縁（小口面）からサッシ吊元側縦枠の内周面３Ａにかけて、そして、サッシ下枠１の幅方向では、図１３（２）に示すように、室内側排水溝２２の吊元側端部に延在するように、第２の立ち上がり片２１４に至るまで切欠けばよい。戸先側切欠部２２６の配置としては、上記同様に、サッシ下枠２０１の長手方向では、ドアを閉じた状態で室内側上面部２１８に当接される可動タイト材５２の戸先側端縁（小口面）からサッシ戸先側縦枠の内周面４Ａにかけて、そして、サッシ下枠１の幅方向では、室内側排水溝２２の戸先側端部に延在するように、第２の立ち上がり片２１４に至るまで切欠けばよい。なお、室内側上面部２１８において、ドアよりも室内側の所望の位置に、図１４に示すように、結露を排水するための結露受け３８が形成されている。
【００６４】
また、図１３（１）に示すように、下枠タイトブロック１０，１０の縦枠側側面、リップ溝片３ａ，４ａ及びそれぞれの縦枠３，４の内周面３Ａ，４Ａに囲まれた、室内側上面部２１８の吊元側端面２１８ａ及び戸先側端面２１８ｂに、雨水が溜まらないように断面形状において室内側排水溝２２方向に向かって下方に傾斜する傾斜面を有し、室内側排水溝２２へ溜まった雨水の排水を促すテーパー部材（図示せず）をそれぞれ配設することが好ましい。このテーパー部材の配設に代えて、前述した切欠（吊元側切欠部２２５、戸先側切欠部２２６）を吊元側端面２１８ａ及び戸先側端面２１８ｂまで拡張してもよい。拡張する場合には、上部室内側中空部２７と中空部１２との間に、雨水を排水するための水抜き孔（図示せず）を形成すればよい。
【符号の説明】
【００６５】
１…下枠、２…上枠、２Ａ…上枠内周面、２Ｂ…上枠室外面、２ａ…上枠リップ溝片、２ｃ…水切り、３…吊元側縦枠、３Ａ…吊元側縦枠内周面、３ａ…吊元側縦枠リップ溝片、４…戸先側縦枠、４Ａ…戸先側縦枠内周面、４ａ…戸先側縦枠リップ溝片、５…下框、６…上框、７…吊元側縦框、７Ａ…吊元側縦框の吊元側側面、７Ｂ…吊元側縦框室内面、７ｃ…水切り、８…戸先側縦框、８Ａ…戸先側縦框の吊元側側面、８Ｂ…戸先側縦框室内面、８ｃ…水切り、９…可動タイト材作動装置、１０…下枠タイトブロック、１１…下枠本体、１２…中空部、１３…第１の立ち上がり片、１４…第２の立ち上がり片、１４ａ…嵌合部、１５…第３の立ち上がり片、１６…室内側支持立ち上がり片、１７…室外側支持立ち上がり片、１８…室内側上面部、１８ａ…吊元側端面、１８ｂ…戸先側端面、１９…室外側上面部、２１…上面構成部材、２１Ａ…上面構成部材上面部、２１Ｂ…上面構成部材室内面、２１Ｃ…上面構成部材室外面、２２…室内側排水溝、２３…下部溝、２４…（室外側）排水溝、２５…吊元側切欠部、２６…戸先側切欠部、２７…上部室内側中空部、２８…上部室外側中空部、３０…グレーチング受材、３１…グレーチング、３２…ウッドデッキ、３５…縦タイト材、３６…横タイト材、３７…蓋付き排水口、３８…結露受け、５０…下框底部、５１…水切りタイト材、５２…可動タイト材、７０…ヒンジ、７１…ビス、７２…レバーハンドル、７３…ラッチボルト、７４…デットボルト、７５…ストライク、７６…トロヨケ、７７…ガラス、７８…中桟、７９…アタッチメント、９１…ケース、９２…ロッド、９３…板バネ、９４…固定部、１７７…ペアガラス、１７８…中桟、１７９…アタッチメント。
【図１】
0004771341.tif 000002
【図２】
0004771341.tif 000003
【図３】
0004771341.tif 000004
【図４】
0004771341.tif 000005
【図５】
0004771341.tif 000006
【図６】
0004771341.tif 000007
【図７】
0004771341.tif 000008
【図８】
0004771341.tif 000009
【図９】
0004771341.tif 000010
【図１０】
0004771341.tif 000011
【図１１】
0004771341.tif 000012
【図１２】
0004771341.tif 000013
【図１３】
0004771341.tif 000014
【図１４】
0004771341.tif 000015